(57)【要約】【課題】電化製品によってそれぞれ異なる設定プログラムを起動することで、当該電化製品の設定変更を行う際にこれらの異なる設定プログラムのインターフェースを統合する。【解決手段】ユーザ端末１０の表示部には、Ａ社の電化製品５０ａを設定するためのＡ社設定ツールのＡ社設定ツールウィンドウ２０と、Ｂ社の電化製品５０ｂを設定するためのＢ社設定ツールウィンドウ２５とが表示されている。統合設定プログラムを起動すると、統合設定ツールウィンドウ６０が表示され、Ａ社設定ツールウィンドウ２０の表示領域以外の他の表示領域である、統合設定ツールウィンドウ６０に設定値２２を表示する（表示例６２）。統合設定ツールウィンドウ６０を使用したインターフェースを介して、設定値の変更をユーザから受付けて、変更を受付けた場合には、メーカ設定プログラムのインターフェースを利用して、設定値の変更を反映する。【選択図】図１
2012008806.tif 000002
【特許請求の範囲】
【請求項１】
ネットワークで接続された電化製品の設定値を、端末に、変更させるプログラムであって、
前記電化製品に対して設定値を変更するためのメーカ設定プログラムを起動するステップ、
前記メーカ設定プログラムを起動することで、前記電化製品の設定値を表示するステップ、
前記設定値を、前記メーカ設定プログラムにより表示されたデータから取得するステップ、
前記設定値を、前記メーカ設定プログラムの表示領域以外の、他の表示領域に表示するステップ、
前記他の表示領域に表示した設定値の変更を受付けるステップ、
前記変更を受け付けた設定値を、前記メーカ設定プログラムの設定値に反映するステップ、
を実行させるためのプログラム。
【請求項２】
前記端末と通信可能に接続されたサーバであって、請求項１に記載の設定値を変更させるプログラムの一部又は全てを提供する当該サーバ。
【請求項３】
ネットワークで接続された電化製品の設定値を、変更させる端末であって、
前記電化製品に対して設定値を変更するためのメーカ設定プログラムを起動する手段と、
前記メーカ設定プログラムを起動することで、前記電化製品の設定値を表示する手段と、
前記設定値を、前記メーカ設定プログラムにより表示されたデータから取得する手段と、
前記設定値を、前記メーカ設定プログラムの表示領域以外の、他の表示領域に表示する手段と、
前記他の表示領域に表示した設定値の変更を受付ける手段と、
前記変更を受け付けた設定値を、前記メーカ設定プログラムの設定値に反映させる手段と、
を備える端末。
【請求項４】
ネットワークで接続された電化製品の設定値を、端末が変更する方法であって、
前記電化製品に対して設定値を変更するためのメーカ設定プログラムを起動するステップと、
前記メーカ設定プログラムを起動することで、前記電化製品の設定値を表示するステップと、
前記設定値を、前記メーカ設定プログラムにより表示されたデータから取得するステップと、
前記設定値を、前記メーカ設定プログラムの表示領域以外の、他の表示領域に表示するステップと、
前記他の表示領域に表示した設定値の変更を受付けるステップと、
前記変更を受け付けた設定値を、前記メーカ設定プログラムの設定値に反映させるステップと、
を含む設定値を変更する方法。
【発明の詳細な説明】
【技術分野】
【０００１】
本発明は、電化製品の設定を行うためのプログラム、設定方法、及びこれを実行する端末に関し、特に、複数の電化製品で、それぞれ異なる設定プログラムを起動する際に、これらを統合する設定プログラム、設定方法、及びこれを実行する端末に関する。
【背景技術】
【０００２】
従来より、家庭やオフィスに設置されたプリンタ等の電化製品について、その電化製品を提供するメーカが電化製品を設定するためのツールを提供し、パソコン等にインストールすることで、電化製品の各種設定を行うことが知られている。
【０００３】
例えば、プリンタを提供するメーカが、自社のプリンタの設定ツールを提供し、このツールから、このメーカが提供するプリンタについて、各種の設定を行うことができることが知られている（例えば、非特許文献１参照）。
【先行技術文献】
【非特許文献】
【０００４】
【非特許文献１】ヒューレッドパッカード・カンパニー、“ＨＰ  Ｗｅｂ  Ｊｅｔ  Ａｄｍｉｎ  ７．５”、［ｏｎｌｉｎｅ］、［平成２２年５月２８日検索］、インターネット＜ＵＲＬ：ｈｔｔｐ：//ｗｗｗ.ｌａｓｅｒｃａｒｅ.ｃｏｍ/ｄｏｗｎｌｏａｄｓ/ｗｅｂｊｅｔａｄｍｉｎ７．５.ｐｄｆ＞
【発明の概要】
【発明が解決しようとする課題】
【０００５】
例えば、上述の非特許文献１の方法では、ＬＡＮ（Ｌｏｃａｌ  Ａｒｅａ  Ｎｅｔｗｏｒｋ）に接続されたプリンタの種類が、この設定ツールを提供するメーカが対応している機種であれば、当該設定ツールにより設定が可能である。
【０００６】
しかしながら、ＬＡＮに接続されたプリンタの種類が、複数メーカであって、設定ツールが所定の機種にのみしか対応していない場合は、当該設定ツールのみでは、全てのプリンタの設定が不可能である場合もある。そこで、ユーザは、対応する各々の設定ツールを起動して、プリンタごとに異なる設定ツールを用いて個別にプリンタの設定をしなくてはならない。これは、利用者であるユーザの設定時の利便性を大いに損ねる。
【０００７】
そこで、本発明は、電化製品によって、それぞれ異なる設定プログラムを起動することで、当該電化製品の設定変更を行う際に、これらの異なる設定プログラムのインターフェースを統合した設定プログラム、方法、端末を提供することを目的とする。
【課題を解決するための手段】
【０００８】
本発明では、以下のような解決手段を提供する。
【０００９】
第１の特徴に係る発明は、ネットワークで接続された電化製品（電化製品５０ａ、ｂ）の設定値を、端末（ユーザ端末１０）に、変更させるプログラムであって、前記電化製品に対して設定値を変更するためのメーカ設定プログラムを起動するステップ、前記メーカ設定プログラムを起動することで、前記電化製品の設定値を表示するステップ（Ａ社設定ツールウィンドウ２０、Ｂ社設定ツールウィンドウ２５）、前記設定値を、前記メーカ設定プログラムにより表示されたデータから取得するステップ、前記設定値を、前記メーカ設定プログラムの表示領域以外の、他の表示領域に表示するステップ（統合設定ツールウィンドウ６０）、前記他の表示領域に表示した設定値の変更を受付けるステップ、前記変更を受け付けた設定値を、前記メーカ設定プログラムの設定値に反映するステップ、を実行させるためのプログラムである。
【００１０】
第１の特徴に係る発明によれば、電化製品に対して設定値を変更するためのメーカ設定プログラムを起動し、電化製品の設定値を表示する。そして、設定値を、メーカ設定プログラムにより表示されたデータから取得し、設定値を、メーカ設定プログラムの表示領域以外の、他の表示領域に表示する。さらに、他の表示領域に表示した設定値の変更を受付けて、変更を受け付けた設定値を、メーカ設定プログラムの設定値に反映する。
【００１１】
したがって、電化製品によって、異なる設定プログラムを起動する際に、これらの異なる設定プログラムのインターフェースを統合した一の設定プログラムを提供することが可能となる。さらに、他の表示領域で設定変更を受付けるインターフェースを、ユーザが扱い易いインターフェースとすることで、メーカ設定プログラムによるインターフェースが扱い難くても、代替のインターフェースとしてユーザが利用しやすいインターフェースを利用できる。
【００１２】
第１の特徴に係る発明は、発明のカテゴリにおいてプログラムのみならず、方法、端末においても同様の作用・効果を奏する。
【００１３】
第２の特徴に係る発明は、前記端末と通信可能に接続されたサーバであって、第１の特徴に係る発明に記載の設定値を変更させるプログラムの一部又は全てを提供する当該サーバである。
【発明の効果】
【００１４】
本願発明によれば、電化製品によって、それぞれ異なる設定プログラムを起動することで、当該電化製品の設定変更を行う際に、これらの異なる設定プログラムのインターフェースを統合した設定プログラム、方法、端末を提供することが可能となる。
【図面の簡単な説明】
【００１５】
【図１】図１は、本実施例の概略を説明する図である。
【図２】図２は、システム構成を示す図である。
【図３】図３は、ユーザ端末１０の機能ブロックを示す図である。
【図４】図４は、ユーザ端末１０が実行する表示処理フローを示す図である。
【図５】図５は、ユーザ端末１０が実行する変更処理フローを示す図である。
【図６】図６は、設定値をテキスト情報として取得する際の画面イメージを示す図である。
【図７】図７は、メーカ設定プログラムのインターフェースを利用して設定の変更を反映する画面イメージを示す図である。
【図８】図８は、統合設定プログラムのインターフェースの一例を示す図である。
【発明を実施するための形態】
【００１６】
以下、本発明を実施するための最良の形態について図を参照しながら説明する。なお、これはあくまでも一例であって、本発明の技術的範囲は、これに限られるものではない。
【００１７】
［概要］
図１に基づいて、本実施例の概要について説明する。ユーザ端末１０には、Ａ社の電化製品５０ａ、Ｂ社の電化製品５０ｂが通信可能に接続されている。ユーザ端末１０の表示部には、Ａ社の電化製品５０ａを設定するためのＡ社設定ツールのＡ社設定ツールウィンドウ２０と、Ｂ社の電化製品５０ｂを設定するためのＢ社設定ツールウィンドウ２５とが表示されている。統合設定プログラムを起動すると、統合設定ツールウィンドウ６０が表示され、メーカ設定プログラムにより表示されたテキスト情報から設定値２２（本例では、設定値「管理者名」の項目とその設定値「ｕｓｅｒＸ」）を含むデータを取得する。
【００１８】
そして、Ａ社設定ツールウィンドウ２０の表示領域以外の他の表示領域である、統合設定ツールウィンドウ６０に表示する（表示例６２）。そして、統合設定ツールウィンドウ６０を使用したインターフェースを介して、設定値の変更をユーザから受付けて、変更を受け付けた場合には、メーカ設定プログラムのインターフェースを利用して、設定値の変更を反映する。
【００１９】
［システム構成］
図２を参照して、本実施例のシステム構成について説明する。設定システム１は、少なくとも、ユーザ端末１０（１０ａ、１０ｂ、１０ｃ、１００ａ）、電化製品５０（５０ａ、５０ｂ、５０ｃ）から構成される。ユーザ端末１０、電化製品５０は、ローカルエリアネットワーク（ＬＡＮ）のみを介して互いに接続されてもよいし（ユーザ端末１０ａ、１０ｂ、１００ａのように）、ローカルエリアネットワークと公衆回線ネットワーク３を介して互いに接続されていてもよい（ユーザ端末１０ｃ）。ここで、電化製品５０は、ローカルネットワークに対して無線接続により通信可能となっていてもよい（電化製品５０ｃ）。さらに、ユーザ端末１０は、ローカルエリアネットワークに対して無線接続により通信可能となっていてもよい（ユーザ端末１０ａ、１０ｂ）し、公衆回線ネットワーク３に対して、無線接続により通信可能となっていてもよい（ユーザ端末１０ｃ）。
【００２０】
さらに、後述するように、情報制御装置として、ゲートウェイ３００又はサーバ２００が、ユーザ端末１０と通信可能に接続されていてよい。すなわち、ゲートウェイ３００は、ローカルネットワークと公衆回線ネットワーク３を接続する終端として接続される。サーバ２００は、公衆回線ネットワーク３に接続される。
【００２１】
［各機能の説明］
図３は、ユーザ端末１０の機能ブロック図である。図３を参照して説明する。
【００２２】
ユーザ端末１０は、例えば、携帯電話、携帯情報端末、コンピュータ（パソコン）、テレビ、電話機に加えて、スマートフォン、ネットブック端末、スレート端末、電子書籍端末、携帯型音楽プレーヤ、オーディオコンポ、コンテンツ再生・録画プレーヤ、プリンタ、ＦＡＸ機、コピー機、スキャナ機、ＭＦＰ（多機能周辺装置、多機能プリンタ）、デジタル・カメラ等のユーザが端末として使用する情報家電であってよい。
【００２３】
ユーザ端末１０は、制御部として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部として、有線・無線対応通信デバイスを備え、記憶部として、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）のいずれか又は双方を備える。さらに、画像を表示する液晶モニタ等の表示部を備え、ユーザからの入力を受付けるマウスやタッチパネル等の入力部を備えてよい。ユーザ端末１０は、制御部が所定のプログラムを読み込み、各種データの入力、出力を行う。
【００２４】
ユーザ端末１０は、メーカ設定プログラム起動手段１１と、設定値表示手段１２と、設定値取得手段１３と、設定値他領域表示手段１４と、設定値変更受付手段１５と、自動設定手段１６と、メーカ設定プログラム・統合設定プログラム記憶手段１７とを備え、上述の制御部、記憶部、通信部、表示部、入力部により、これらの手段が実現される。
【００２５】
メーカ設定プログラムとは、電化製品５０の設定値を視認したり、変更するための電化製品５０の専用プログラムである。メーカ設定プログラムは、電化製品５０の種別によって各々のプログラムを起動することを前提としており、一のメーカ設定プログラムが、複数の電化製品５０を設定可能であってよいが、設定ができない電化製品５０を一以上有する。
【００２６】
メーカ設定プログラムは、一般的には、電化製品５０ａ、ｃが、同一のメーカが提供する電化製品である場合（例えば、どちらもＡ社製）は、これらの複数の電化製品５０ａ、ｃに対して、共通のメーカ設定プログラムにより、電化製品５０ａ、ｃの両方の設定値を扱うことができる。しかし、電化製品５０ｂが、電化製品５０ａ、ｃとは異なるメーカであるＢ社製である場合は、電化製品５０ａ、ｃのメーカ設定プログラムにより、設定値の視認、変更をすることはできない。
【００２７】
統合設定プログラムとは、メーカ設定プログラムとは異なり、起動されている複数のメーカ設定プログラムの設定値を取得し、設定値を変更することが可能なプログラムである。具体的には、下記の表示処理フローのステップＳ１３からＳ１５及び、変更処理フローをユーザ端末１０に実行させるプログラムである。
【００２８】
統合設定プログラム及びメーカ設定プログラムは、ユーザ端末１０と通信可能に接続されたサーバ２００やゲートウェイ３００からダウンロードされてよい。ここで、統合設定プログラム及びメーカ設定プログラムが、予めユーザ端末１０に記憶されたプログラムと組み合せて実現されるプラグインのプログラムであってもよい。
【００２９】
電化製品５０（５０ａ、５０ｂ・・）は、ユーザ端末１０と同様に、制御部として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部として、有線・無線対応通信デバイスを備え、記憶部として、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）のいずれか又は双方を備える。さらに、画像を表示する液晶モニタ等の表示部を備え、サポート者から入力を受付けるマウスやタッチパネル等の入力部を備えてよい。
【００３０】
電化製品５０は、プリンタ、電話機、ＦＡＸ機、コピー機、スキャナ機、ＭＦＰ（多機能周辺装置、多機能プリンタ）、デジタル・カメラ、携帯電話、携帯情報端末、コンピュータ（パソコン）、テレビに加えて、スマートフォン、ネットブック端末、スレート端末、電子書籍端末、携帯型音楽プレーヤ、オーディオコンポ、コンテンツ再生・録画プレーヤ等の家電製品及び業務用の電化製品であってよい。ただし、電化製品５０は、ユーザ端末１０から実行されるメーカ設定プログラムにより、電化製品５０自体の設定値が変更可能である。このメーカ設定プログラムは、Ｗｅｂブラウザにより実現されてもよい。
【００３１】
電化製品５０は、設定変更手段５１を少なくとも備え、上述の制御部、記憶部、通信部、表示部、入力部により、これらの手段が実現される。
【００３２】
［表示処理のフローチャート］
図４は、ユーザ端末１０にて実行される表示処理のフローチャートである。表示処理は、ユーザ端末１０にて実行される処理の時系列を示すものであり、統合設定プログラムの実行フローは、ステップＳ１３からＳ１５の処理である。なお、メーカ設定プログラム及び統合設定プログラムは、メーカ設定プログラム・統合設定プログラム記憶手段１７に予め記憶されている。
【００３３】
最初に、ユーザからのユーザ端末１０に対する操作に基づいて、メーカ設定プログラムの起動信号を受信したか否かを判断する（ステップＳ１０）。起動信号を受信した場合（ステップＳ１０：ＹＥＳ）は、設定値表示手段１２が、メーカ設定プログラムにより、対応するウィンドウに、設定値を表示する（ステップＳ１１）。起動信号を受信しない場合（ステップＳ１０：ＮＯ）は、ステップＳ１０の処理待ちとなる。
【００３４】
例えば、図６を参照すると、メーカ設定プログラムが、Ａ社メーカ設定プログラムであるとする。この場合は、Ａ社メーカ設定プログラムを起動すると、Ａ社設定ツールとして、Ａ社設定ツールウィンドウ２０が表示されて、電化製品５０ａである「Ａ−０１  Ｐｒｉｎｔｅｒ」の各設定値（設定値の項目「管理者名」と設定値「Ｊｏｈｎ」）が表示される。
【００３５】
次に、ユーザからのユーザ端末１０に対する操作に基づいて、統合設定プログラムの起動信号を受信したか否かを判断する（ステップＳ１２）。起動信号を受信した場合（ステップＳ１０：ＹＥＳ）は、ユーザ端末１０にて、起動されているメーカ設定プログラムの数と種類を確認する（ステップＳ１３）。起動信号を受信しない場合（ステップＳ１２：ＮＯ）は、ステップＳ１２の処理待ちとなる。
【００３６】
ユーザ端末１０にて、起動されているメーカ設定プログラムの数と種類を確認し、起動されている各メーカ設定プログラムから、設定値をデータとして取得する（ステップＳ１４）。ここで、設定値をデータとして取得するとは、メーカ設定プログラムで表示されている設定値が、例えばアスキー形式のテキストデータで表示されていることで、テキストのコピーで、テキストのデータとして取得したり、画像データで表示されている場合は、画像を文字認識した結果、テキストのデータとして取得する。
【００３７】
そして、統合設定プログラムの統合設定ツールウィンドウ６０に、設定値を表示する（ステップＳ１５）。図６を参照すると、Ａ社設定ツールウィンドウ２０に設定値７０が表示されている場合に、これをテキストのコピーで取得し、統合設定プログラムの統合設定ツールウィンドウ６０に、コピーした設定値７２を表示する。図６に示すように、設定値７０の表示が反転表示する必要はない。
【００３８】
［変更処理のフローチャート］
図５は、ユーザ端末１０にて実行される変更処理のフローチャートである。変更処理は、統合設定プログラムが、ユーザ端末１０に実行させる処理である。
【００３９】
設定値変更受付手段１５は、ユーザからの入力により、設定値の変更を受付ける（ステップＳ２０）。例えば、図７の例では、統合設定ツールウィンドウ６０の設定値一覧において、管理者、カラー・モノクロ設定、言語等の変更が可能であり設定値変更ウィンドウ８２が表示され、ユーザからの変更を受付ける。ユーザが設定値に対して、変更を行い、変更決定ボタン８３を押すと、変更指示あり（ステップＳ２０：ＹＥＳ）となって、ステップＳ２１に処理を移す。変更決定ボタン８３が押されるまでは、処理待ちとなる（ステップＳ２０：ＮＯ）。
【００４０】
次に、自動設定手段１６は、変更された設定値について、メーカ設定プログラムの対応する設定値を参照する（ステップＳ２２）。例えば、統合設定プログラムにおいて、Ａ-０１Ｐｒｉｎｔｅｒの設定値である「管理者名」が変更されたとする。すると、Ａ-０１Ｐｒｉｎｔｅｒは、Ａ社設定ツールで管理されていることを参照して、Ａ社設定ツールの「管理者名」の設定値を変更するインターフェースの手順を読み出す。ここで、インターフェースの手順とは、ユーザがマウスポインタや入力ウィンドウに対する入力操作、すなわち、手動で、Ａ社設定ツールを使用して設定値を変更する際の手順である。
【００４１】
そして、自動設定手段１６は、メーカ設定プログラムのインターフェースを利用して、設定値の変更を反映する（ステップＳ２３）。すなわち、メーカ設定プログラムのインターフェースの変更手順が、変更される設定値毎に、予め記憶されており、これを読み出して実行する。これにより、ユーザによる手動の変更がなくても、読み出されたインターフェースの手順を実行することで、ユーザ端末１０が自ら設定値を変更する。すなわち、統合設定プログラムの設定値の項目と、メーカ設定プログラム側で対応する設定値の項目とが予め、対応付けられている。そして、メーカ設定プログラムの一の設定値を変更するインターフェースの手順（例えば、アイコンボタンを押して、ウィンドウを開いて、設定値を入力し、完了ボタンを押す等のインターフェースを介して実行する操作手順において、ユーザの入力を受付けずに、擬似的に端末がインターフェース操作を実行する手順）が予め記憶されている。これにより、統合設定プログラムの設定値が変更された場合に、当該インターフェースの手順を読み出して、これに従って、メーカ設定プログラムの対応する設定値を変更する。この設定値の変更の信号を受信した電化製品５０ａ、ｂの設定変更手段５１が、実際に電化製品５０ａ、ｂの設定値を変更する。これにより、ユーザは、統合設定プログラムに対する設定値の変更を行っているにも関わらず、結果として、メーカ設定プログラムのインターフェースを利用した設定値の変更が行われる。
【００４２】
上記の実施例では、特に、メーカ設定プログラムが複数、起動されている場合に、統合設定プログラムを使うことで、個々のメーカ設定プログラムの設定値を個別に変更する必要がなく、個々の設定値を変更できるため、有用である。
【００４３】
例えば、図８に示すように、統合設定ツールウィンドウ６０内にＡ社設定ツールで設定される「Ａ-０１Ｐｒｉｎｔｅｒ」の設定値と、Ｂ社設定ツールで設定される「Ｂ-０１Ｐｒｉｎｔｅｒ」の設定値とが表示されている。この表示されるインターフェースが、設定値一覧のような書式で表示されることで、通常、電化製品５０ａ、ｂ毎に異なる表示形式で表示されたものが、比較し易く、整理されて表示することが可能となる。また、表示のみならず、設定値の変更においても、統一されたインターフェースを使用すればよく、変更するインターフェースが電化製品５０ａ、ｂ毎に異なる手順を行わなくても良い。
【００４４】
また、ユーザとしては、これらの表示形式、変更形式のインターフェースをカスタマイズできる場合には、統合設定プログラムの表示形式、変更形式のみを変更すれば、全てのメーカ設定プログラムのインターフェースを変更する必要はない。すなわち、他の表示領域となる統合設定ツールウィンドウ６０で設定変更を受付けるインターフェースを、ユーザが扱い易いインターフェースとすることで、メーカ設定プログラムによるインターフェースが扱い難くても、代替のインターフェースとしてユーザが利用しやすいインターフェースを利用できる。
【００４５】
上述した手段、機能は、コンピュータ（ＣＰＵ，情報処理装置，各種端末を含む）が、所定のプログラムを読み込んで、実行することによって実現される。アプリケーションプログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からアプリケーションプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００４６】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００４７】
１０  ユーザ端末
５０ａ、ｂ  電化製品
２００  サーバ
【図１】
2012008806.tif 000003
【図２】
2012008806.tif 000004
【図３】
2012008806.tif 000005
【図４】
2012008806.tif 000006
【図５】
2012008806.tif 000007
【図６】
2012008806.tif 000008
【図７】
2012008806.tif 000009
【図８】
2012008806.tif 000010